(57)【要約】【課題】  本考案は、顔に装着することで飛来物などから保護され、更に、呼吸を妨げることなく快適に過ごすことを目的としたフェイスマスクである。【解決手段】  本考案は顔に装着することで飛来物などから保護し、更に呼吸の妨げを抑制して快適に過ごすことを目的としたフェイスマスクであって、鼻の上に位置する覆い布１と、前記覆い布１の下側に設けられた覆い布２と、前記覆い布２の下側方向に延伸されている覆い布３と、前記１から３の覆い布の少なくとも覆い布１と接結されて顔の両側を覆うように設けられた一対の覆い布４と、前記覆い布４と接続されて首の後をカバーするように設けられた一対の覆い布５と、前記フェイスマスクを顔の所望の位置に固定する固定具７とを有し、前記２又は４の覆い布の片方あるいは両方をメッシュなど通気性の良い素材を用いることにより、顔を飛来物などの刺激から保護し、更に呼吸をしやすくすることができる。【選択図】図１
0003229636.tif 000002
【実用新案登録請求の範囲】
【請求項１】
顔に装着することで飛来物などから保護し、更に呼吸の妨げを抑制して快適に過ごすことを目的としたフェイスマスクであって、鼻の上に位置する第１の覆い布と、前記第１の覆い布の下側に設けられた第２の覆い布と、前記第２の覆い布の下側方向に延伸してなる第３の覆い布と、前記第１から第３の覆い布の少なくとも第１の覆い布と接合されて顔の両側を覆うように設けられた一対の第４の覆い布と、前記第４の覆い布と接合されて両側に延伸してなり首の後をカバーするように設けられた第５の覆い布と、前記フェイスマスクを顔の所望の位置に固定する固定部７とを有し、前記第２の覆い布はメッシュなどの通気性を有していることを特徴とするフェイスマスク。
【請求項２】
前記第４の覆い布はメッシュなどの通気性を有していることを特徴とする請求項１に記載のフェイスマスク。
【請求項２】
前記第１の覆い布と前記第２の覆い布の一方又は双方にタックを設けることにより、前記タックを前記フェイスマスクの長手方向に伸縮させることを特徴とする請求項１もしくは請求項２に記載のフェイスマスク。
【考案の詳細な説明】
【技術分野】
【０００１】  本考案は、フェイスマスクに関する。
【背景技術】
【０００２】  従来のフェイスマスクには、顔に装着することで飛来物などから保護しつつも通気性を有しているものがあった。
【先行技術文献】
【特許文献】
【０００３】
【特許文献１】特開２０１３−１００６２４号
【考案の概要】
【考案が解決しようとする課題】
【０００４】  上述した従来のフェイスマスクでは、通気性を確保するために鼻の下に通気口を開けていたり口の辺りにメッシュなどを使用していた。その為、飛来物などからの保護が十分ではなかった。【０００５】  本考案は上述した課題に鑑み、通気性を確保しつつ飛来物などからの保護性を向上させることを目的としている。
【課題を解決するための手段】
【０００６】  上記目的を達成するために請求項１に記載のフェイスマスクでは、顔に装着することで飛来物などから保護し、更に呼吸の妨げを抑制して快適に過ごすことを目的としたフェイスマスクであって、鼻の上に位置する第１の覆い布と、前記第１の覆い布の下側に設けられた第２の覆い布と、前記第２の覆い布の下側方向に延伸してなる第３の覆い布と、前記第１から第３の覆い布の少なくとも第１の覆い布と接合されて顔の両側を覆うように設けられた一対の第４の覆い布と、前記第４の覆い布と接合されて両側に延伸してなり首の後をカバーするように設けられた第５の覆い布と、前記フェイスマスクを顔の所望の位置に固定する固定部７とを有し、前記第２の覆い布はメッシュなどの通気性を有していることを特徴としている。【０００７】  また上記目的を達成するために請求項２に記載のフェイスマスクでは、上記請求項１のフェイスマスクの第４の覆い布をメッシュなどの通気性を有している素材とすることを特徴としている。【０００８】  また、上記構成のフェイスマスクは、前記第１の覆い布と前記第２の覆い布の一方又は双方にタックを設けることにより、前記タックを前記フェイスマスクの長手方向に伸縮させることを特徴としている。
【考案の効果】
【０００９】  請求項１のフェイスマスクでは、通気口を設けることなく通気を確保しつつ、飛来物などの刺激から保護することができる。【００１０】  さらに請求項２では、通気性およびむれを防止することができる。【００１１】  また請求項３では、鼻腔との間に隙間を設けることで呼吸をしやすくできる。
【図面の簡単な説明】
【００１２】
【図１】は、本実施形態のフェイスマスクの正面図
【図２】は、本実施形態のフェイスマスクの裏面図
【図３】は、本実施形態のフェイスマスクの立体図
【図４】は、本実施形態のフェイスマスクの着用図
【図５】は、本実施形態のフェイスマスクの断面図
【図６】は、本実施形態のフェイスマスクのタック部の第１の変形例を示す立体図
【図７】は、本実施形態のフェイスマスクのタック部の第１の変形例を示す着用図
【図８】は、本実施形態のフェイスマスクのタック部の第１の変形例を示す断面図
【図９】は、本実施形態のフェイスマスクのタック部の第２の変形例を示す立体図
【図１０】は、本実施形態のフェイスマスクのタック部の第２の変形例を示す着用図
【図１１】は、本実施形態のフェイスマスクのタック部の第２の変形例を示す断面図
【図１２】は、他の実施形態のフェイスマスクの正面図
【図１３】は、他の実施形態のフェイスマスクの断面図
【図１４】は、他の実施形態のフェイスマスクの着用図
【本考案を実施するための形態】
【００１３】  以下に本考案のフェイスマスク１０について図面を参照して説明する。図１は本実態形態のフェイスマスクを示す正面図である。図２は本実態形態のフェイスマスクを示す裏面図である。図３は本実施形態のフェイスマスクの立体図である。図４は本実施形態のフェイスマスクの着用図である。図５は本実態形態のフェイスマスクの断面図である。図６は本実施形態のフェイスマスクのタック部の第１の変形例を示す立体図である。図７は本実施形態のフェイスマスクのタック部の第１の変形例を示す着用図である。図８は本実施形態のフェイスマスクのタック部の第１の変形例を示す断面図である。図９は本実施形態のフェイスマスクのタック部の第２の変形例を示す立体図である。図１０は本実施形態のフェイスマスクのタック部の第２の変形例を示す着用図である。図１１は本実施形態のフェイスマスクのタック部の第２の変形例を示す断面図である。図１２は他の実施形態のフェイスマスクの正面図である。図１３は他の実施形態のフェイスマスクの断面図である。図１４は他の実施形態のフェイスマスクの着用図である。
【００１４】  以下図を用いて本考案にかかるフェイスマスクについて説明する。
１は鼻の上に位置する第１の覆い布（以下覆い布１という）、２は第１の覆い布の下側に設けられた第２の覆い布（以下覆い布２という）、３は第２の覆い布の下側方向に延伸されている覆い布（以下覆い布３という）、４は第１から第３の覆い布の少なくとも第１の覆い布と連続されて顔の両側を覆うように設けられた一対の第４の覆い布（以下覆い布４という）である。
【００１５】  本考案では覆い布２と４の片方あるいは両方をメッシュなど通気性を有している素材を用いることにより、呼吸をしやすくしかつ飛来物などの刺激から顔を保護するものである。
【００１６】  また本考案によれば、鼻から出た空気は覆い布２のメッシュなどの通気性を有している素材から外に排出されるだけでなく、覆い布４もメッシュなどの通気性を有している素材にすることで、顔の左右方向にも鼻から出た空気を排出することができ、フェイスマスク内に空気が留まることなく、快
【００１７】  また本考案は覆い布１と、覆い布２の一方又は双方にタックを取ることにより、タックを伸縮させることで顔のカーブに適度な空間（図４のＡ部参照）ができ、息苦しさを軽減することができる。
【００１８】  また本考案は覆い布１の肌側に見返し布８と設けることにより、ファンデーションや顔の皮脂が直接フェイスマスクに付くことを防ぐことができ、清潔を保つことができる。
【００１９】  また本考案は図１２及び図１３に示すように、覆い布１の鼻側の上端に樹脂などの形状を安定させる変形自在な棒状部９を挿入することで、鼻の上を安定させることができる。
【００２０】  本考案の実施形態１０では、フェイスマスク全体を顔に安定させるため耳に掛けるためのループ状ゴム７を有しているが、図１４に示す通り覆い布４と覆い布５の間に耳を通す切り込み状の穴Ｂを設けてもよい。
【００２１】  また本考案の実施形態１０では、首の後でフェイスマスクを止めるための留め具６を有しているが、図１４に示す通り左右の覆い布５をつなぎ、首の後をカバーする左右連続した覆い布としても良い。
【００２２】  また本考案の第１の実施形態の断面は図５となっているが、タック部のたたみ方を図８および図１１のようにしてもよい。
【符号の説明】
【００２３】  １    第１の覆い布
２    第２の覆い布
３    第３の覆い布
４    第４の覆い布
５    第５の覆い布
６    留め具
７    ループ状ゴム
８    見返し布
９    樹脂ボーン
Ａ    鼻腔の空間
Ｂ    耳に掛けるための切り込み
【図１】
0003229636.tif 000003
【図２】
0003229636.tif 000004
【図３】
0003229636.tif 000005
【図４】
0003229636.tif 000006
【図５】
0003229636.tif 000007
【図６】
0003229636.tif 000008
【図７】
0003229636.tif 000009
【図８】
0003229636.tif 000010
【図９】
0003229636.tif 000011
【図１０】
0003229636.tif 000012
【図１１】
0003229636.tif 000013
【図１２】
0003229636.tif 000014
【図１３】
0003229636.tif 000015
【図１４】
0003229636.tif 000016
【手続補正書】
【提出日】令和2年9月18日(2020.9.18)
【手続補正１】
【補正対象書類名】実用新案登録請求の範囲
【補正対象項目名】全文
【補正方法】変更
【補正の内容】
【実用新案登録請求の範囲】
【請求項１】
顔に装着することで飛来物などから保護し、更に呼吸の妨げを抑制して快適に過ごすことを目的としたフェイスマスクであって、鼻の上に位置する第１の覆い布と、前記第１の覆い布の下側に設けられた第２の覆い布と、前記第２の覆い布の下側方向に延伸してなる第３の覆い布と、前記第１から第３の覆い布の少なくとも第１の覆い布と接合されて顔の両側を覆うように設けられた一対も第４の覆い布と、前記第４覆い布と接合されて両側に延伸してなり首の後をカバーするように設けられた第５の覆い布と、前記フェイスマスクを顔の所望の位置に固定する固定部７とを有し、前記第２の覆い布はメッシュなどの通気性を有していることを特徴とするフェイスマスク
【請求項２】
前記第４の覆い布はメッシュなどの通気性を有していることを特徴とする請求項１に記載のフェイスマスク。
【請求項３】
前記第１の覆い布と前記第２の覆い布の一方又は双方にタックを設けることにより、前記タックを前記フェイスマスクの長手方向に伸縮させることを特徴とする請求項１もしくは請求項２に記載のフェイスマスク。